(57)【要約】【課題】利用者の好みの歌手の楽曲を推奨する際に、複数ある楽曲の中から当該利用者の好みにあった楽曲を推奨できるカラオケ装置を提供する。【解決手段】利用者の歌唱履歴に基づいて、当該利用者の好みの歌手を特定する歌手特定部と、特定された前記好みの歌手が歌唱する各楽曲を前記利用者がカラオケ歌唱した回数、及び前記各楽曲が分類された所定の区分に基づいて、前記利用者が好む楽曲の区分を特定する区分特定部と、前記特定された好みの歌手が歌唱する全ての楽曲の中から、特定された前記区分に分類された楽曲を抽出する抽出部と、抽出した楽曲を推奨楽曲として前記利用者に提示する提示部と、を有するカラオケ装置。【選択図】図４
2019148769.tif 000002
【特許請求の範囲】
【請求項１】
利用者の歌唱履歴に基づいて、当該利用者の好みの歌手を特定する歌手特定部と、
特定された前記好みの歌手が歌唱する各楽曲を前記利用者がカラオケ歌唱した回数、及び前記各楽曲が分類された所定の区分に基づいて、前記利用者が好む楽曲の区分を特定する区分特定部と、
前記特定された好みの歌手が歌唱する全ての楽曲の中から、特定された前記区分に分類された楽曲を抽出する抽出部と、
抽出した楽曲を推奨楽曲として前記利用者に提示する提示部と、
を有するカラオケ装置。
【請求項２】
特定された前記好みの歌手が歌唱する全ての楽曲それぞれを、楽曲が過去にカラオケ演奏された回数及び所定の分類条件に基づいて、前記所定の区分に分類する分類部を有することを特徴とする請求項１記載のカラオケ装置。
【請求項３】
前記提示部は、前記抽出した楽曲のうち、前記過去にカラオケ演奏された回数が所定数以上の楽曲、または前記利用者の歌唱履歴に含まれていない楽曲、または前記利用者の歌唱履歴に含まれている楽曲であって、現在利用しているカラオケ装置においてまだカラオケ歌唱を行っていない楽曲を、前記推奨楽曲として前記利用者に提示することを特徴とする請求項２記載のカラオケ装置。
【発明の詳細な説明】
【技術分野】
【０００１】
本発明はカラオケ装置に関する。
【背景技術】
【０００２】
カラオケ装置を使用してカラオケ歌唱を行う際、利用者はリモコン装置を介して所望の楽曲を選曲する。具体的には、リモコン装置に表示される楽曲検索画面において、歌手名や楽曲名等の検索要件を入力し、検索条件に一致した楽曲の中からカラオケ歌唱を希望する楽曲を選択する。カラオケ装置は、利用者が選択した楽曲を予約待ち行列に登録し、カラオケ演奏を行う。
【０００３】
一方、カラオケ装置を使用してカラオケ歌唱できる楽曲は何十万曲もあるため、ある検索条件に対して膨大な数の楽曲が一致してしまい、所望の楽曲を選択することが困難な場合がある。
【０００４】
そこで、利用者に適当な楽曲を推奨（リコメンド）する技術が検討されている。たとえば、特許文献１には、利用者の利用履歴を用いて、履歴に記憶されている楽曲を歌唱する歌手の新譜、又は同一ジャンルに属する新譜を検索することにより、利用者に対して好みの歌手の新譜を提示する音楽情報提示システムに関する技術が開示されている。
【先行技術文献】
【特許文献】
【０００５】
【特許文献１】特開２００３−２５５９５８号公報
【発明の概要】
【発明が解決しようとする課題】
【０００６】
ところで、ある歌手を好む利用者であっても、楽曲の好みの度合いは様々である。たとえば、ドラマ主題歌の楽曲やＣＭで使用された楽曲のように、流行りの楽曲だけを好む利用者がいる。また、流行りの楽曲以外に、コンサートでよく歌唱される楽曲（所謂、定番曲）やアルバムのタイトル曲等、ファンの間でよく知られている楽曲も好む利用者もいる。一方、上述の利用者が好むような楽曲には興味を示さず、コンサートでもめったに歌唱されない楽曲（所謂、レア曲）やインディーズ時代の楽曲等、あまり聴きなれない楽曲を好む利用者もいる。
【０００７】
従って、特許文献１の技術を用い、利用者に対して楽曲を推奨したとしても、その楽曲が当該利用者の好みに合っているとは限らない。
【０００８】
本発明の目的は、利用者の好みの歌手の楽曲を推奨する際に、複数ある楽曲の中から当該利用者の好みにあった楽曲を推奨できるカラオケ装置を提供することにある。
【課題を解決するための手段】
【０００９】
上記目的を達成するための主たる発明は、利用者の歌唱履歴に基づいて、当該利用者の好みの歌手を特定する歌手特定部と、特定された前記好みの歌手が歌唱する各楽曲を前記利用者がカラオケ歌唱した回数、及び前記各楽曲が分類された所定の区分に基づいて、前記利用者が好む楽曲の区分を特定する区分特定部と、前記特定された好みの歌手が歌唱する全ての楽曲の中から、特定された前記区分に分類された楽曲を抽出する抽出部と、抽出した楽曲を推奨楽曲として前記利用者に提示する提示部と、を有するカラオケ装置である。
本発明の他の特徴については、後述する明細書及び図面の記載により明らかにする。
【発明の効果】
【００１０】
本発明によれば、利用者の好みの歌手の楽曲を推奨する際に、複数ある楽曲の中から当該利用者の好みにあった楽曲を推奨できる。
【図面の簡単な説明】
【００１１】
【図１】実施形態に係るカラオケシステムの概略を示す図である。
【図２】実施形態に係るサーバ装置のハードウェア構成例を示す図である。
【図３】実施形態に係るカラオケ装置のハードウェア構成例を示す図である。
【図４】実施形態に係るカラオケ装置のソフトウェア構成例を示す図である。
【図５】ある歌手が歌唱する楽曲を所定の分類条件で分類した図である。
【図６】利用者の歌唱履歴から抽出した楽曲毎の歌唱回数及び区分を示す図である。
【図７】実施形態に係るカラオケ装置の処理を示すフローチャートである。
【発明を実施するための形態】
【００１２】
＜実施形態＞
図１〜図７を参照して、実施形態に係るカラオケシステム１について説明する。
【００１３】
＝＝カラオケシステム＝＝
図１に示すように、カラオケシステム１は、複数のカラオケ装置（カラオケ装置Ｋ１〜カラオケ装置Ｋｎ）、及びサーバ装置Ｓを備える。各カラオケ装置とサーバ装置Ｓとは、ネットワークＮを介して通信可能となっている。ネットワークＮは、たとえば公衆電話回線網やインターネット回線等の伝送路である。
【００１４】
＝＝サーバ装置＝＝
サーバ装置Ｓは、カラオケ装置に関する各種情報を管理するコンピュータである。図２はサーバ装置Ｓのハードウェア構成例を示す図である。サーバ装置Ｓは、記憶部１０、通信部２０及び制御部３０を備える。各構成はインターフェース（図示なし）を介してバスＢに接続されている。
【００１５】
［記憶部］
記憶部１０は、各種のデータを記憶する大容量の記憶装置である。本実施形態に係る記憶部１０は、楽曲データ記憶部１０ａ及び歌唱履歴記憶部１０ｂを含んで構成されている。
【００１６】
（楽曲データ記憶部）
楽曲データ記憶部１０ａは、各カラオケ装置においてカラオケ演奏を行うための複数の楽曲（楽曲データ）を記憶する。楽曲データは、個々の楽曲を特定するための楽曲ＩＤ（識別情報）が付与されている。楽曲データは、伴奏データ、リファレンスデータ、ガイドメロディデータ、歌詞テロップデータ、背景画像データ、及び楽曲の属性情報（楽曲名、歌手名、作詞・作曲者名、ジャンル等の楽曲に関する情報）を含む。
【００１７】
また、本実施形態において、各楽曲データは、楽曲が過去にカラオケ演奏された回数（演奏回数）を含む。演奏回数は、カラオケシステム１に含まれる全てのカラオケ装置においてカラオケ演奏された回数の合計値である。たとえば、各カラオケ装置は、ある楽曲のカラオケ演奏を行う都度、演奏回数をカウントするための情報をサーバ装置Ｓに送信する。楽曲データ記憶部１０ａは、当該情報に基づいて、ある楽曲の演奏回数を更新して記憶する。
【００１８】
（歌唱履歴記憶部）
歌唱履歴記憶部１０ｂは、利用者毎のカラオケ歌唱に関する履歴（歌唱履歴）を記憶する。歌唱履歴は、ある利用者が過去に行ったカラオケ歌唱に関する各種データであり、楽曲ＩＤ、楽曲の名称、歌手の名前等の情報、歌唱日時、採点結果を含む。楽曲ＩＤ、楽曲の名称、歌手の名前等の情報は、楽曲データに基づいて特定できる。
【００１９】
たとえば、利用者Ｘがカラオケ装置Ｋ１で楽曲Ａのカラオケ歌唱を行った場合、カラオケ装置Ｋ１は、利用者Ｘの利用者ＩＤ、楽曲Ａの楽曲ＩＤ、歌手名、カラオケ歌唱を行った日時、及び採点結果をサーバ装置Ｓに送信する。歌唱履歴記憶部１０ｂは、受信した利用者ＩＤに基づいて、利用者Ｘの歌唱履歴を特定し、新たに得られた各種データを追加する。
【００２０】
［通信部・制御部］
通信部２０は、サーバ装置Ｓと各カラオケ装置とを接続するためのインターフェースを提供する。制御部３０は、サーバ装置Ｓにおける各種の制御を行う。制御部３０はＣＰＵおよびメモリ（いずれも図示無し）を備える。制御部３０は、たとえば各カラオケ装置に対して楽曲データを配信したり、各カラオケ装置から受信した情報を記憶部１０に記憶させる処理を行う。
【００２１】
＝＝カラオケ装置＝＝
カラオケ装置は、楽曲のカラオケ演奏、及び利用者がカラオケ歌唱を行うための装置である。以下では、カラオケ装置Ｋ１について説明を行うが、他のカラオケ装置も同様の構成を備える。
【００２２】
［ハードウェア構成］
図３に示すように、カラオケ装置Ｋ１は、カラオケ本体４０、スピーカ５０、表示装置６０、マイク７０、及びリモコン装置８０を備える。
【００２３】
スピーカ５０はカラオケ本体４０からの放音信号に基づいて放音するための構成である。表示装置６０はカラオケ本体４０からの信号に基づいて映像や画像を画面に表示するための構成である。マイク７０は利用者の歌唱音声（マイク７０への入力音声）をアナログの音声信号に変換してカラオケ本体４０に入力するための構成である。リモコン装置８０は、カラオケ本体４０に対する各種操作をおこなうための装置である。利用者はリモコン装置８０を用いてカラオケ歌唱を希望する楽曲の検索や選曲（予約）等を行うことができる。リモコン装置８０の表示画面には各種操作の指示入力を行うためのアイコン等が表示される。
【００２４】
カラオケ本体４０は、選曲された楽曲のカラオケ演奏制御、歌詞や背景映像等の表示制御、マイク７０を通じて入力された音声信号の処理といった、カラオケ歌唱に関する各種の制御を行う。図３に示すように、カラオケ本体４０は、制御部４１、通信部４２、記憶部４３、音響処理部４４、表示処理部４５及び操作部４６を備える。各構成はインターフェース（図示なし）を介してバスＢに接続されている。
【００２５】
制御部４１は、ＣＰＵ４１ａおよびメモリ４１ｂを備える。ＣＰＵ４１ａは、メモリ４１ｂに記憶された動作プログラムを実行することにより各種の制御機能を実現する。メモリ４１ｂは、ＣＰＵ４１ａに実行されるプログラムを記憶したり、プログラムの実行時に各種情報を一時的に記憶したりする記憶装置である。
【００２６】
通信部４２は、ルーター（図示なし）を介してカラオケ本体４０を通信回線に接続するためのインターフェースを提供する。
【００２７】
記憶部４３は、各種のデータを記憶する大容量の記憶装置であり、たとえばハードディスクドライブなどである。記憶部４３は、たとえば、サーバ装置Ｓから配信された楽曲データを記憶する。なお、楽曲データは記憶部４３に記憶せず、必要に応じてサーバ装置Ｓからダウンロードすることでもよい。
【００２８】
音響処理部４４は、制御部４１の制御に基づき、楽曲に対するカラオケ演奏の制御およびマイク７０を通じて入力された歌唱音声信号の処理を行う。表示処理部４５は、制御部４１の制御に基づき、表示装置６０やリモコン装置８０における各種表示に関する処理を行う。たとえば、表示処理部４５は、カラオケ演奏時における背景映像に歌詞テロップや各種アイコンが重ねられた映像を表示装置６０に表示させる。或いは、表示処理部４５は、リモコン装置８０の表示画面に操作入力用の各種アイコンを表示させる。操作部４６は、パネルスイッチおよびリモコン受信回路などからなり、利用者によるカラオケ装置Ｋ１のパネルスイッチあるいはリモコン装置８０の操作に応じて選曲信号、演奏中止信号などの操作信号を制御部４１に対して出力する。制御部４１は、操作部４６からの操作信号を検出し、対応する処理を実行する。
【００２９】
［ソフトウェア構成］
図４はカラオケ本体４０のソフトウェア構成例を示す図である。カラオケ本体４０は、歌手特定部１００、分類部２００、区分特定部３００、抽出部４００、及び提示部５００を備える。歌手特定部１００、分類部２００、区分特定部３００、抽出部４００、及び提示部５００は、ＣＰＵ４１ａがメモリ４１ｂに記憶されるプログラムを実行することにより実現される。
【００３０】
（歌手特定部）
歌手特定部１００は、利用者の歌唱履歴に基づいて、当該利用者の好みの歌手を特定する。
【００３１】
たとえば、利用者Ｘは、カラオケ歌唱を行うにあたり、カラオケ装置Ｋ１に付属されたリモコン装置８０を介し、自己の識別情報（利用者ＩＤ）とパスワードを入力し、カラオケシステム１にログインする。
【００３２】
リモコン装置８０は、入力された利用者ＩＤ等をサーバ装置Ｓに送信する。サーバ装置Ｓは、歌唱履歴記憶部１０ｂを検索し、受信した利用者Ｘの利用者ＩＤとパスワードの組み合わせデータが存在する場合には、利用者ＩＤに対応づけられた利用者Ｘの歌唱履歴をカラオケ装置Ｋ１に送信する。カラオケ装置Ｋ１は、受信した歌唱履歴を利用者毎に管理する。
【００３３】
所定時間経過後、利用者Ｘからカラオケ歌唱の予約がなされない場合、歌手特定部１００は、利用者Ｘの歌唱履歴に含まれている歌手の情報を抽出する。そして、歌手特定部１００は、抽出された数が最も多かった歌手を利用者Ｘの好みの歌手として特定する。歌手特定部１００は、特定された好みの歌手が歌唱する楽曲の演奏回数をサーバ装置Ｓから取得し、記憶部４３に記憶させる。
【００３４】
なお、抽出された数が同数の歌手が存在した場合、歌手特定部１００は、所定の条件に基づいて、その中から一の歌手を「好みの歌手」として特定する。所定の条件は、たとえば、直近でカラオケ歌唱した楽曲の歌手を「好みの歌手」とすることや、利用者がカラオケ歌唱した楽曲の種類が多い歌手を「好みの歌手」とする条件等、任意の条件を設定できる。
【００３５】
（分類部）
分類部２００は、特定された好みの歌手が歌唱する全ての楽曲それぞれを、楽曲が過去にカラオケ演奏された回数及び所定の分類条件に基づいて、所定の区分に分類する。
【００３６】
所定の分類条件は、ある歌手が歌唱する全ての楽曲をいくつかの区分に分類するための条件である。本実施形態において、所定の分類条件は、楽曲が過去にカラオケ演奏された回数に応じて設定される。たとえば、全ての楽曲のうち「演奏回数が上位２０％」、「演奏回数が下位３０％」、「それ以外の楽曲」といった条件や、全ての楽曲のうち「演奏回数の上位５曲」、「演奏回数の下位１０曲」、「それ以外の楽曲」といった条件を設定できる。
【００３７】
所定の区分は、分類条件に応じて決定される。たとえば、「演奏回数が上位２０％」、「演奏回数が下位３０％」、「それ以外の楽曲」といった分類条件の場合、「演奏回数が上位２０％」に当てはまる楽曲を「メジャー曲」の区分とし、「演奏回数が下位３０％」に当てはまる楽曲を「マイナー曲」の区分とし、「それ以外の楽曲」に当てはまる楽曲を「定番曲」の区分として決定する。
【００３８】
具体例として、歌手特定部１００により歌手Ｓ１が特定されたとする。また、歌手Ｓ１が歌唱する全ての楽曲Ｍ１〜Ｍ５０の楽曲データが記憶部４３に記憶されているとする。
【００３９】
この場合、分類部２００は、記憶部４３から、楽曲Ｍ１〜楽曲Ｍ５０それぞれの演奏回数を取得する。そして、分類部２００は、取得した演奏回数及び所定の分類条件に基づいて、楽曲Ｍ１〜楽曲Ｍ５０それぞれを所定の区分に分類する。
【００４０】
たとえば、所定の分類条件が、過去にカラオケ演奏された回数の上位２０％の楽曲（メジャー曲）、下位３０％（マイナー曲）、それ以外の楽曲（定番曲）であるとする。この場合、分類部２００は、楽曲Ｍ１〜楽曲Ｍ５０の楽曲データに含まれる演奏回数に基づいて、各楽曲を演奏回数が多い順に並べる。そして、分類部２００は、並べた順の上位２０％の楽曲（１０曲）を「メジャー曲」の区分に分類し、下位３０％の楽曲（１５曲）を「マイナー曲」の区分に分類し、それ以外の楽曲（２５曲）を「定番曲」の区分に分類する（図５参照）。
【００４１】
（区分特定部）
区分特定部３００は、特定された好みの歌手が歌唱する各楽曲を利用者がカラオケ歌唱した回数、及び各楽曲が分類された所定の区分に基づいて、利用者が好む楽曲の区分を特定する。
【００４２】
たとえば、利用者Ｘの好みの歌手として歌手Ｓ１が特定されたとする。また、歌手Ｓ１が歌唱する楽曲Ｍ１〜楽曲Ｍ５０について、図５に示した３つの区分に分類されたとする。
【００４３】
区分特定部３００は、利用者Ｘの歌唱履歴の中から、歌手Ｓ１の歌唱する楽曲を抽出する。区分特定部３００は、抽出した楽曲毎の歌唱回数を求める。また、区分特定部３００は、分類部２００で分類された区分に基づいて、抽出した楽曲毎に区分を付与する。図６は、抽出した楽曲毎の歌唱回数及び付与された区分を示す。たとえば、楽曲ＩＤ「＊＊＊＊１４」の楽曲は、利用者Ｘにより１５回カラオケ歌唱されている（利用者Ｘの歌唱履歴の中に楽曲ＩＤ「＊＊＊＊１４」をカラオケ歌唱した履歴が１５回含まれている）。また、楽曲ＩＤ「＊＊＊＊１４」の楽曲は、図５の区分に基づいて「マイナー曲」に分類される。
【００４４】
区分特定部３００は、抽出した楽曲毎の歌唱回数、及び楽曲毎に付与された区分に基づいて、利用者Ｘが好む楽曲の区分を特定する。具体的に、区分特定部３００は、抽出した楽曲のうち、歌唱回数が多い楽曲について付与された区分を利用者Ｘが好む楽曲の区分として特定する。図６の例では、「メジャー曲」に分類された楽曲が１つ、その歌唱回数が１回（歌唱全体の３％）であり、「定番曲」に分類された楽曲が２つ、その歌唱回数が計３回（歌唱全体の８％）であり、「マイナー曲」に分類された楽曲が３つ、その歌唱回数が計３３回（歌唱全体の８９％）である。従って、区分特定部３００は、利用者Ｘが好む楽曲の区分として「マイナー曲」を特定する。
【００４５】
（抽出部）
抽出部４００は、特定された好みの歌手が歌唱する全ての楽曲の中から、特定された区分に分類された楽曲を抽出する。
【００４６】
上記例の通り、利用者Ｘが好む楽曲の区分として「マイナー曲」が特定されたとする。この場合、抽出部４００は、分類部２００で分類した結果に応じて、歌手Ｓ１が歌唱する全ての楽曲の中から、「マイナー曲」の区分に分類された楽曲（図５における３６位〜５０位の楽曲）を抽出する。抽出部４００は、抽出した楽曲の楽曲ＩＤを提示部５００に出力する。
【００４７】
（提示部）
提示部５００は、抽出した楽曲を推奨楽曲として利用者に提示する。推奨楽曲は、利用者に対してカラオケ歌唱を薦める楽曲である。
【００４８】
上記例において、提示部５００は、受信した３６位〜５０位の楽曲の楽曲ＩＤに基づいて、利用者Ｘに対する推奨楽曲を提示させる。たとえば、提示部５００は、推奨楽曲の楽曲ＩＤに対応した楽曲名や楽曲ＩＤそのものを表示装置６０またはリモコン装置８０の表示画面に表示させる。推奨楽曲の楽曲名は、推奨楽曲の楽曲ＩＤに基づいて記憶部４３に記憶されている属性情報を参照することで特定できる。
【００４９】
なお、歌手によっては、歌唱する楽曲の数が膨大であり、上述のメジャー曲やマイナー曲といったある区分の楽曲だけでも相当の数になることがありうる。そこで、提示部５００は、抽出した楽曲のうち、一部の楽曲のみを推奨楽曲として利用者に提示することでもよい。
【００５０】
たとえば、提示部５００は、抽出した楽曲のうち、過去にカラオケ演奏された回数が所定数以上の楽曲を推奨楽曲として提示してもよい。所定数は予め任意の値を設定できる。また、提示部５００は、抽出した楽曲のうち、利用者の歌唱履歴に含まれていない楽曲を推奨楽曲として提示してもよい。更に、提示部５００は、抽出した楽曲のうち、利用者の歌唱履歴に含まれている楽曲であって、現在利用しているカラオケ装置においてまだカラオケ歌唱を行っていない楽曲を、推奨楽曲として提示してもよい。
【００５１】
＝＝カラオケ装置における処理について＝＝
次に、図７を参照して本実施形態に係るカラオケ装置Ｋ１における処理の具体例について述べる。図７は、カラオケ装置Ｋ１における処理例を示すフローチャートである。この例では、カラオケシステム１にログインした利用者Ｘが所定時間経過後も楽曲の予約を行っていないとする。
【００５２】
歌手特定部１００は、利用者Ｘの歌唱履歴に基づいて、利用者Ｘの好みの歌手を特定する（好みの歌手を特定。ステップ１０）。
【００５３】
分類部２００は、ステップ１０で特定された好みの歌手が歌唱する全ての楽曲それぞれを、楽曲が過去にカラオケ演奏された回数及び所定の分類条件に基づいて、所定の区分に分類する（各楽曲を所定の区分に分類。ステップ１１）。
【００５４】
区分特定部３００は、ステップ１０で特定された好みの歌手が歌唱する各楽曲を利用者Ｘがカラオケ歌唱した回数、及びステップ１１で分類された所定の区分に基づいて、利用者Ｘが好む楽曲の区分を特定する（利用者が好む楽曲の区分を特定。ステップ１２）。
【００５５】
抽出部４００は、ステップ１０で特定された好みの歌手が歌唱する全ての楽曲の中から、ステップ１２で特定された区分に分類された楽曲を抽出する（特定された区分に分類された楽曲を抽出。ステップ１３）。
【００５６】
提示部５００は、ステップ１３で抽出した楽曲を推奨楽曲として利用者Ｘに提示する（推奨楽曲の提示。ステップ１４）。
【００５７】
このように、本実施形態に係るカラオケ装置１は、利用者の歌唱履歴に基づいて、当該利用者の好みの歌手を特定する歌手特定部１００と、特定された好みの歌手が歌唱する各楽曲を利用者がカラオケ歌唱した回数、及び各楽曲が分類された所定の区分に基づいて、利用者が好む楽曲の区分を特定する区分特定部３００と、特定された好みの歌手が歌唱する全ての楽曲の中から、特定された区分に分類された楽曲を抽出する抽出部４００と、抽出した楽曲を推奨楽曲として利用者に提示する提示部５００と、を有する。
【００５８】
このように、利用者が好む歌手が歌唱する全ての楽曲の中から、特定された区分に分類された楽曲を抽出することにより、利用者の好みでない楽曲が推奨されることがない。よって、利用者は自己の好みに合った楽曲を容易に選曲することができる。すなわち、本実施形態に係るカラオケ装置１によれば、利用者の好みの歌手の楽曲を推奨する際に、複数ある楽曲の中から当該利用者の好みにあった楽曲を推奨できる。
【００５９】
また、提示部５００は、抽出した楽曲のうち、過去のカラオケ演奏された回数が所定数以上の楽曲、または利用者の歌唱履歴に含まれていない楽曲、または利用者の歌唱履歴に含まれている楽曲であって、現在利用しているカラオケ装置においてまだカラオケ歌唱を行っていない楽曲を、推奨楽曲として利用者に提示することができる。このように、抽出した楽曲の一部を推奨楽曲として提示することにより、好みの歌手が歌唱する楽曲の数が膨大な場合であっても、利用者の好みに対してより適当と思われる楽曲を推奨できる。
【００６０】
＜その他＞
なお上記実施形態では、歌手特定部１００が利用者の好みの歌手を特定する都度、分類部２００により、特定された好みの歌手が歌唱する全ての楽曲それぞれを所定の区分に分類する例について述べた。
【００６１】
一方、カラオケシステム１に記憶されている歌手毎の楽曲それぞれについて、予め所定の分類条件で分類した区分を付与しておくことも可能である。この場合、カラオケ装置において分類部２００の構成は不要である。
【００６２】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６３】
Ｋ１  カラオケ装置
１００  歌手特定部
２００  分類部
３００  区分特定部
４００  抽出部
５００  提示部
【図１】
2019148769.tif 000003
【図２】
2019148769.tif 000004
【図３】
2019148769.tif 000005
【図４】
2019148769.tif 000006
【図５】
2019148769.tif 000007
【図６】
2019148769.tif 000008
【図７】
2019148769.tif 000009